(57)【要約】【課題】ユーザ好みの仕上がりの印象となる画像合成装置，画像合成方法，そのプログラムおよびそのプログラムを格納した記録媒体を提供する。【解決手段】合成画像の仕上がりの印象がユーザによって指定され，その印象に近いテンプレート画像Ｔ１，対象画像31等が決定される。対象画像31等が指定された印象に近くなるように補正され，合成画像の仕上がりを示すサンプル画像が生成される。生成されたサンプル画像の印象が，ユーザが指定した印象から遠ければ，補正パラメータが変更させられて対象画像31等が再び補正される。このようにして生成されるフォトブックの印象はユーザの好みに近いものとなる。【選択図】図４
2015162850.tif 000002
【特許請求の範囲】
【請求項１】
テンプレート画像に対象画像を貼り付けて合成画像を生成する画像合成装置において，
合成画像の仕上がりの印象の指定を受け付ける仕上がり印象受付手段，
上記仕上がり印象受付手段によって受け付けられた印象に関連付けられ，かつ合成画像を構成するテンプレート画像または合成画像に用いられる文字の少なくとも一つの構成要素を決定する構成要素決定手段，
テンプレート画像に貼り付ける対象画像を，上記仕上がり印象受付手段によって受付られた印象に補正する対象画像補正手段，
上記対象画像補正手段によって補正された対象画像および上記構成要素決定手段によって決定された構成要素を用いて合成画像を生成する合成画像生成手段，
上記合成画像生成手段によって生成された合成画像の印象が，上記仕上がり印象受付手段によって受け付けられた印象に合致するかどうかを判定する印象判定手段，ならびに
上記印象判定手段によって，受け付けられた印象に非合致と判定されたことに応じて，生成された合成画像が，受け付けられた印象に補正する合成画像補正手段，
を備えた画像合成装置。
【請求項２】
テンプレート画像には，フレームが付加され，上記フレームに対象画像を貼り付けるものであり，
上記フレーム自体を変更する，上記フレームの配置を変更する，あるいは対象画像の大きさを変更するレイアウト変更手段，
をさらに備えた請求項１に記載の画像合成装置。
【請求項３】
上記印象判定手段は，
対象画像または構成要素の少なくとも一つの画像の印象が，受け付けられている印象と合致するかどうかを判定するものである，
請求項１または２に記載の画像合成装置。
【請求項４】
上記印象判定手段は，
上記少なくとも一つの画像に含まれる色成分にもとづいて，上記少なくとも一つの画像の印象が，受け付けられた印象に合致するかどうかを判定するものである，
請求項３に記載の画像合成装置。
【請求項５】
上記印象判定手段は，
上記合成画像生成手段によって生成された合成画像の印象が上記仕上がり印象受付手段によって受付られた印象に合致するかどうかを判定し，かつ上記合成画像補正手段によって補正された合成画像の印象が上記仕上がり印象受付手段によって受け付けられた印象に合致するかどうかを判定するものであり，
上記印象判定手段による処理および上記合成画像補正手段による処理を繰り返すように，上記印象判定手段および上記合成画像補正手段を制御する繰り返し制御手段，
をさらに備えた請求項１から４のうち，いずれか一項に記載の画像合成装置。
【請求項６】
上記印象判定手段は，
対象画像と構成要素の少なくとも１つとの一致度が低いかどうかを判定するものであり，上記一致度が低いと判定されたことにより，上記仕上がり印象受付手段によって受け付けられた印象と非合致と判定するものである，
請求項１から５のうち，いずれか一項に記載の画像合成装置。
【請求項７】
上記合成画像補正手段は，
上記構成要素決定手段によって決定された構成要素または対象画像の少なくとも一つについて，上記仕上がり印象受付手段によって受け付けられた印象に補正するものである，
請求項１から６のうち，いずれか一項に記載の画像合成装置。
【請求項８】
上記仕上がり印象受付手段は，テンプレート画像の指定を受け付けることにより合成画像の仕上がり印象を受け付けるものであり，
上記構成要素は，受け付けられたテンプレート画像を構成要素と決定するものである，
請求項１から７のうち，いずれか一項に記載の画像合成装置。
【請求項９】
上記仕上がり印象受付手段は，
合成画像の仕上がりの印象を指定する仕上がり印象指定手段によって指定された印象を受け付ける，あるいはコンピュータから送信される，合成画像の仕上がりの印象を示すデータを受信するものである，
請求項１から８のうち，いずれか一項に記載の画像合成装置。
【請求項１０】
上記仕上がり印象受付手段は，
合成画像の仕上がりの印象を複数示す，複数の印象指定エリアを，少なくとも二つの印象指定エリアの一部が重なって表示画面に表示するように表示装置を制御する表示制御手段を備え，
印象指定エリアが指定されることにより，指定された印象指定エリアによって示される印象を，合成画像の仕上がりの印象とするものであり，
印象指定エリアの重複部分が指定されたことに応じて，指定された複数の印象エリアが示す複数の印象を，合成画像の仕上がり印象として受け付けるものである，
請求項１から９のうち，いずれか一項に記載の画像合成装置。
【請求項１１】
上記合成画像補正手段によって補正された合成画像をプリントするプリンタ，
をさらに備えた請求項１から10のうち，いずれか一項に記載の画像合成装置。
【請求項１２】
テンプレート画像に対象画像を貼り付けて合成画像を生成する画像合成方法において，
仕上がり印象受付手段が，合成画像の仕上がりの印象の指定を受け付け，
構成要素決定手段が，上記仕上がり印象受付手段によって受け付けられた印象に関連づけられ，かつ合成画像を構成するテンプレート画像または合成画像に用いられる文字の少なくとも一つの構成要素を決定し，
対象画像補正手段が，テンプレート画像に貼り付ける対象画像を，上記仕上がり印象受付手段によって受け付けられた印象に補正し，
合成画像生成手段が，上記対象画像補正手段によって補正された対象画像および上記構成要素決定手段によって決定された構成要素を用いて合成画像を生成し，
印象判定手段が，上記合成画像生成手段によって生成された合成画像の印象が，上記仕上がり印象受付手段によって受け付けられた印象に合致するかどうかを判定し，
合成画像補正手段が，上記印象判定手段によって，受け付けられた印象に非合致と判定されたことに応じて，生成された合成画像が，受け付けられた印象に補正する，
画像合成方法。
【請求項１３】
テンプレート画像に対象画像を貼り付けて合成画像を生成する画像合成装置のコンピュータを制御するコンピュータ読み取り可能なプログラムにおいて，
合成画像の仕上がりの印象の指定を受け付けさせ，
受け付けられた印象に関連づけられ，かつ合成画像を構成するテンプレート画像または合成画像に用いられる文字画像の少なくとも一つの構成要素を決定させ，
テンプレート画像に貼り付ける対象画像を，受け付けられた印象に補正し，
補正された対象画像および決定された構成要素を用いて合成画像を生成させ，
生成された合成画像の印象が，受け付けられた印象に合致するかどうかを判定させ，
受け付けられた印象に非合致と判定されたことに応じて，生成された合成画像が，受け付けられた印象に補正させるように，画像合成装置のコンピュータを制御するプログラム。
【請求項１４】
請求項13に記載のプログラムを格納した記録媒体。
【発明の詳細な説明】
【技術分野】
【０００１】
この発明は，画像合成装置，ならびにその方法，そのプログラム，およびそのプログラムを格納した記録媒体に関する。
【背景技術】
【０００２】
ポストカード，電子アルバム，フォトブックなどのようにテンプレートにユーザが対象画像を貼り付け，ユーザの所望の合成画像を生成するものが実現されている。例えば，画像の色味に応じてアルバム台紙の色味を調整し，画像とアルバム台紙の色味の統一感を得るもの（特許文献１），ユーザの好みのレイアウトを提示するもの（特許文献２），ドアの各デザイン要素をカテゴリ分けし，カテゴリごとにイメージの影響度を求めるもの（特許文献３）などがある。また，表示手段の特性ばらつきを補正した状態で，さらに補正し指示するもの（特許文献４），登録画像に対応して完成表現ワードが設定されており，対応する画像処理を施すもの（特許文献５），抽象的概念を異なるデザイン要素で施すもの（特許文献６−８）などもある。
【０００３】
さらに，テーマに応じてトーン調整するもの（特許文献９），感性語によって写真の色彩を調整するもの（特許文献10），テンプレートに感性表現による付帯情報が付加されているもの（特許文献11），客の志向に合わせた仕上がりのフォトサービスについてのもの（特許文献12）などもある。
【先行技術文献】
【特許文献】
【０００４】
【特許文献１】特開2013-81208号公報
【特許文献２】特開2013-229006号公報
【特許文献３】特開平6-103347号公報
【特許文献４】特許第3847480号公報
【特許文献５】特許第4090926号公報
【特許文献６】特許第4978043号公報
【特許文献７】特許第4984610号公報
【特許文献８】特許第3972914号公報
【特許文献９】特許第4197313号公報
【特許文献１０】特開2005-20344号公報
【特許文献１１】特開2000-253227号公報
【特許文献１２】特開2002-354185号公報
【発明の概要】
【０００５】
しかしながら，特許文献１に記載の発明では，画像の色味に台紙を単に合わせるものにすぎず，ユーザの好みの印象に仕上げることはできない。また，特許文献２に記載の発明では，ユーザ好みのレイアウトを提示するに過ぎないものであるから，合成画像全体の仕上がりをユーザの好みにすることはできない。さらに，特許文献３に記載の発明では，あらかじめ実験を行う必要があるから，所望の画像を用いた合成画像についてユーザの好みにすることはできない。特許文献４から12に記載の発明においても，仕上がりの印象をユーザの好みにすることはできない。
【０００６】
この発明は，テンプレート画像に対象画像を貼り付けて合成画像が生成される場合に，仕上がりの印象をユーザの好みに合うようにすることを目的とする。
【発明が解決しようとする課題】
【０００７】
この発明は，テンプレート画像に対象画像を貼り付けて合成画像（ポストカード，電子アルバム，フォトブック，フォトグッズ）を生成する画像合成装置において，合成画像の仕上がりの印象の指定を受け付ける仕上がり印象受付手段，仕上がり印象受付手段によって受け付けられた印象に関連づけられ，かつ合成画像を構成するテンプレート画像または合成画像に用いられる文字の少なくとも一つの構成要素を決定する構成要素決定手段，テンプレート画像に貼り付ける対象画像を，仕上がり印象受付手段によって受付られた印象に補正する対象画像補正手段，対象画像補正手段によって補正された対象画像および構成要素決定手段によって決定された構成要素（文字画像のみ，テンプレート画像のみ，文字画像とテンプレート画像，フォント）を用いて合成画像を生成する合成画像生成手段，合成画像生成手段によって生成された合成画像の印象が，仕上がり印象受付手段によって受け付けられた印象に合致するかどうかを判定する印象判定手段，ならびに印象判定手段によって，受け付けられた印象に非合致と判定されたことに応じて（合致しないと判定された場合も含む），生成された合成画像（合成画像に含まれている対象画像も含む）が，受け付けられた印象に補正する合成画像補正手段を備えていることを特徴とする。
【０００８】
この発明は，画像合成装置に適した画像合成方法も提供している。すなわち，この方法は，テンプレート画像に対象画像を貼り付けて合成画像を生成する画像合成方法において，仕上がり印象受付手段が，合成画像の仕上がりの印象の指定を受け付け，構成要素決定手段が，仕上がり印象受付手段によって受け付けられた印象に関連づけられ，かつ合成画像を構成するテンプレート画像または合成画像に用いられる文字の少なくとも一つの構成要素を決定し，対象画像補正手段が，テンプレート画像に貼り付ける対象画像を，仕上がり印象受付手段によって受け付けられた印象に補正し，合成画像生成手段が，対象画像補正手段によって補正された対象画像および構成要素決定手段によって決定された構成要素画像を用いて合成画像を生成し，印象判定手段が，合成画像生成手段によって生成された合成画像の印象が，仕上がり印象受付手段によって受け付けられた印象に合致するかどうかを判定し，合成画像補正手段が，印象判定手段によって，受け付けられた印象に非合致と判定されたことに応じて，生成された合成画像が，受け付けられた印象に補正するものである。
【０００９】
この発明は，画像合成方法を実施するためのコンピュータ読み取り可能なプログラムおよびそのプログラムを格納した記録媒体も提供している。
【００１０】
テンプレート画像には，フレームが付加され，フレームに対象画像を貼り付けるものでも良い。この場合，フレーム自体を変更する，フレームの配置（回転を含む）を変更する，あるいは対象画像の大きさを変更するレイアウト変更手段をさらに備えることが好ましい。
【００１１】
印象判定手段は，たとえば，対象画像または構成要素の少なくとも一つの画像の印象が，受け付けられている印象に合致するかどうかを判定するものである。テンプレートに貼りつける対象画像を，上記仕上がり印象受付手段によって受け付けられた印象をもつものの中から決定してもよい。
【００１２】
印象判定手段は，少なくとも一つの画像に含まれる色成分にもとづいて，少なくとも一つの画像の印象が，受け付けられた印象に合致するかどうかを判定するものでもよい。
【００１３】
印象判定手段は，合成画像生成手段によって生成された合成画像の印象が仕上がり印象受付手段によって受付られた印象に合致するかどうかを判定し，かつ合成画像補正手段によって補正された合成画像の印象が仕上がり印象受付手段によって受け付けられた印象に合致するかどうかを判定するものでもよい。この場合，印象判定手段による処理および合成画像補正手段による処理を繰り返すように，印象判定手段および合成画像補正手段を制御する繰り返し制御手段をさらに備える。また，印象判定手段は，対象画像と構成要素の少なくとも１つとの一致度が低いかどうかを判定するものであり，一致度が低いと判定されたことにより，仕上がり印象受付手段によって受け付けられた印象と非合致と判定するものでもよい。
【００１４】
合成画像補正手段は，たとえば，構成要素決定手段によって決定された構成要素または対象画像の少なくとも一つについて，仕上がり印象受付手段によって受け付けられた印象に補正するものである。仕上がり印象受付手段によって受け付けられた印象に近い印象となるように，構成要素または対象画像を変更する補正でもよい。合成画像補正手段による補正は，対象画像補正手段によって補正された合成画像（対象画像）を補正するだけでなく，対象画像補正手段による補正前の対象画像を補正するようにしてもよい。
【００１５】
仕上がり印象受付手段は，テンプレート画像の指定を受け付けることにより合成画像の仕上がり印象を受け付けるものでもよい。この場合，構成要素は，受け付けられたテンプレート画像を構成要素と決定する。
【００１６】
仕上がり印象受付手段は，たとえば，合成画像の仕上がりの印象を指定する仕上がり印象指定手段によって指定された印象を受け付ける，あるいはコンピュータから送信される，合成画像の仕上がりの印象を示すデータを受信するものである。
【００１７】
仕上がり印象受付手段は，たとえば，合成画像の仕上がりの印象を複数示す，複数の印象指定エリアを，少なくとも二つの印象指定エリアの一部が重なって表示画面に表示するように表示装置を制御する表示制御手段を備えてもよい。この場合，印象指定エリアが指定されることにより，指定された印象指定エリアによって示される印象を，合成画像の仕上がりの印象とするものであり，印象指定エリアの重複部分が指定されたことに応じて，指定された複数の印象エリアが示す複数の印象を，合成画像の仕上がり印象として受け付ける。
【００１８】
合成画像補正手段によって補正された合成画像をプリントするプリンタをさらに備えてもよい。
【発明の効果】
【００１９】
この発明によると，合成画像の仕上がりの印象の指定が受け付けられる。すると，受け付けられた印象に関連付けられ，かつ合成画像を構成するテンプレート画像または文字の少なくとも一つの構成要素（一または複数の構成要素）が決定される。テンプレート画像に貼り付けられる対象画像（ユーザが所有している画像でもよいし，そのような画像でなくともよい）が受け付けられた印象に補正される。補正された画像と決定された構成要素とを用いて合成画像が生成される。生成された合成画像の印象が，受け付けられた印象と非合致の場合には，受け付けられた印象に合成画像が補正される。合成画像の全体的な仕上がりが，受け付けられた印象に近くなる。ユーザの好みにあう印象をもつ合成画像が得られる。
【図面の簡単な説明】
【００２０】
【図１】フォトブック作成システムの概要である。
【図２】クライアント・コンピュータの電気的構成を示すブロック図である。
【図３】画像合成サーバの電気的構成を示すブロック図である。
【図４】フォトブックのページ画像の一例である。
【図５】フォトブックのページ画像の一例である。
【図６】テンプレート評価値テーブルの一例である。
【図７】文字評価値テーブルの一例である。
【図８】フレーム評価値テーブルの一例である。
【図９】フレーム回転量評価値テーブルの一例である。
【図１０】拡大率評価値テーブルの一例である。
【図１１】対象画像評価値テーブルの一例である。
【図１２】フォトブック作成システムの処理手順の一部を示すフローチャートである。
【図１３】フォトブック作成システムの処理手順の一部を示すフローチャートである。
【図１４】フォトブック作成システムの処理手順の一部を示すフローチャートである。
【図１５】フォトブック作成システムの処理手順の一部を示すフローチャートである。
【図１６】フォトブック作成システムの処理手順の一部を示すフローチャートである。
【図１７】クライアント・コンピュータの表示画面の一例である。
【図１８】クライアント・コンピュータの表示画面の一例である。
【図１９】クライアント・コンピュータの表示画面の一例である。
【図２０】クライアント・コンピュータの表示画面の一例である。
【図２１】クライアント・コンピュータの表示画面の一例である。
【図２２】仕上がりサンプル画像の評価値の総和を示すテーブルである。
【図２３】クライアント・コンピュータの表示画面の一例である。
【図２４】フォトブック作成システムの処理手順の一部を示すフローチャートである。
【図２５】クライアント・コンピュータの表示画面の一例である。
【実施例】
【００２１】
図１は，この発明の実施例を示すもので，フォトブック作成システム（画像合成装置）の概要を示している。
【００２２】
この実施例では，フォトブックを構成する１ページを作成する場合について説明するが，フォトブックを作成する場合に限らず，電子アルバム，ポストカード，フォトグッズなどテンプレート画像に対象画像を貼り付けて合成画像が生成されるようなシステムすべてについて適用できる。
【００２３】
フォトブック作成システムには，インターネットのようなネットワークを介して互いに通信可能なクライアント・コンピュータ１および画像合成サーバ20が含まれている。画像合成サーバ20には，画像合成サーバ20において生成されたフォトブックを表わす画像データからフォトブックをプリントするためのプリンタ29が接続されている。
【００２４】
図２は，クライアント・コンピュータ１の電気的構成を示すブロック図である。
【００２５】
クライアント・コンピュータ１の全体の動作は，ＣＰＵ７によって統括される。
【００２６】
クライアント・コンピュータ１には，表示制御装置３によって制御される表示装置２，データを一時的に記憶するメモリ４，コンパクト・ディスク５にアクセスするためのコンパクト・ディスク・ドライブ６，ユーザがクライアント・コンピュータ１に指令を与えるためのキーボード８およびマウス９が含まれている。また，クライアント・コンピュータ１には，ハードディスク12にアクセスするためのハードディスク・ドライブ11および画像合成サーバ20等と通信するための通信装置10も含まれている。
【００２７】
後述する動作を制御するプログラムが格納されているコンパクト・ディスク５がクライアント・コンピュータ１に装填され，コンパクト・ディスク・ドライブ６によってコンパクト・ディスク５に格納されているプログラムが読み取られる。読み取られたプログラムがクライアント・コンピュータ１にインストールされることにより，クライアント・コンピュータ１は，後述する動作を行う。クライアント・コンピュータ１を制御するプログラムは，コンパクト・ディスク５のような記録媒体から読み取られるのではなく，インターネットを介して送信されたものを受信するようにしてもよい。
【００２８】
図３は，画像合成サーバ20の電気的構成を示すブロック図である。
【００２９】
画像合成サーバ20の全体の動作は，ＣＰＵ21によって統括される。
【００３０】
画像合成サーバ20には，データを一時的に記憶するメモリ22，コンパクト・ディスク23にアクセスするためのコンパクト・ディスク・ドライブ24およびプリンタ29を接続するためのプリンタ・インターフェイス25が含まれている。また，画像合成サーバ20には，ハードディスク28およびハードディスク28にアクセスするためのハードディスク・ドライブ27も含まれている。
【００３１】
クライアント・コンピュータ１と同様に，後述する動作を制御するプログラムが格納されているコンパクト・ディスク23が画像合成サーバ20に装填され，コンパクト・ディスク・ドライブ24によってコンパクト・ディスク24に格納されているプログラムが読み取られる。読み取られたプログラムが画像合成サーバ20にインストールされることにより，画像合成サーバ20は，後述する動作を行う。画像合成サーバ20を制御するプログラムも，コンパクト・ディスク23のような記録媒体から読み取られるのではなく，インターネットを介して送信されたものを受信するようにしてもよい。
【００３２】
図４は，フォトブック作成システムにおいて作成されるフォトブックを構成するページ画像の一例である。
【００３３】
フォトブックを構成するページ画像Ｐ１には，テンプレート画像Ｔ１（構成要素）が含まれている。このテンプレート画像Ｔ１にフレーム画像ＦＲ１からＦＲ３が形成されている。これらのフレーム画像ＦＲ１からＦＲ３は，テンプレート画像Ｔ１自体に形成されているものでもよい。また，テンプレート画像Ｔ１は，フレーム画像ＦＲ１からＦＲ３が形成されていない単なる台紙画像であり，その台紙画像にフレーム画像ＦＲ１からＦＲ３を付加するものでもよい。右上のフレーム画像ＦＲ１の中には，被写体像（対象画像）31が現れている。左上のフレーム画像ＦＲ２の中には，被写体像32が現れている。右下のフレーム画像ＦＲ２の中には，被写体像34が現れている。左下のフレーム画像ＦＲ３の中には，被写体像33が現れている。ページ画像Ｐ１の上部には，「ある日の一日」という文字画像30（構成要素）が表示されている。
【００３４】
フレーム画像ＦＲ１は，矩形であり，クールな印象をユーザに与えると考えられる。フレーム画像ＦＲ２は，ハート型であり，かわいらしい印象をユーザに与えると考えられる。フレーム画像ＦＲ３は，曲線の枠であり，少しかわいらしい印象をユーザに与えると考えられる。文字画像30は，丸みを帯びている文字であり，全体的にかわいらしい印象をユーザに与えると考えられる。また，被写体像31から34もかわいらしい被写体像が表示されている（かわいらしい被写体像とは，花などのかわいい印象を与える対象物などが写っている被写体像，全体的にピンク色の割合が多い被写体像など様々なルールにしたがって決定できる。）。このようなことから，ページ画像Ｐ１は，全体的にかわいらしい印象をユーザに与える。この実施例では，フォトブックが作成されるときに，ユーザによって仕上がり印象が指定される。その指定された印象に合致するようなフォトブックが作成される。図４のページ画像Ｐ１は，「かわいい」仕上がり印象となるようにユーザによって指定されたものである。
【００３５】
図５は，フォトブックを構成するページ画像の他の例である。
【００３６】
図５に示すフォトブックを構成するページ画像Ｐ２においては，左上のフレーム画像ＦＲ２が時計回りに約４５度回転している。また,右上のフレーム画像ＦＲ１に現れている被写体像31Ａは，図４のページ画像Ｐ１のフレーム画像ＦＲ１に現れている被写体像31に比べて拡大されている。このように，この実施例では，フレームの回転，被写体像の拡大（縮小）ができる。フレームの回転，被写体像の拡大（縮小）に応じて，かわいらしさなどの仕上がり印象も変わるので，フレームの回転，被写体像の拡大（縮小）も考慮されてユーザの仕上がり印象に合致するようなフォトブックが作成される。
【００３７】
図６から図11は，評価値テーブルの一例である。評価値テーブルは，フォトブックに利用されるテンプレート画像等の感性（かわいい，カジュアル，ロマンティック，クール，シックなど）を，感性に対応してポイントとして表わした評価値を格納したテーブルである。
【００３８】
図６は，テンプレート評価値テーブルの一例である。
【００３９】
テンプレート画像（あらかじめ画像合成サーバ20のハードディスク28に格納されている。）ごとに感性の評価値がテンプレート評価値テーブルに格納されている。たとえば，テンプレート画像Ｔ１は，「かわいい」，「カジュアル」および「ロマンティック」の感性についての評価値は低いが，「クール」および「シック」の感性についての評価値は高い。テンプレート画像Ｔ３は，「かわいい」および「カジュアル」の感性についての評価値は高いが，「ロマンティック」，「クール」および「シック」の感性についての評価値は低い。ユーザによって，フォトブックの仕上がり印象が「かわいい」または「カジュアル」が指定されると，それらの評価値が高いテンプレート画像Ｔ３などが利用されるように決定される。ユーザによって，フォトブックの仕上がり印象が「クール」または「シック」が指定されると，テンプレート画像Ｔ１が利用されるように決定される。
【００４０】
図７は，文字画像評価値テーブルの一例である。
【００４１】
テンプレート画像と同様に，文字画像（文字画像を表すデータもあらかじめ合成画像サーバ20のハードディスク28に格納されている。文字画像の代わりにフォント（構成要素）を特定してもよい。）ごとに感性の評価値がテンプレート評価値テーブルに格納されている。たとえば，文字画像Ｆ１の「かわいい」の評価値は高いので，ユーザによってフォトブックの仕上がり印象が「かわいい」が指定された場合には，文字画像Ｆ１が利用されるように決定される。その他の仕上がり印象が指定された場合も，その指定された仕上がり印象の感性の評価値が高い文字が利用されるように決定される。
【００４２】
図８は，フレーム評価値テーブルの一例である。
【００４３】
フレーム画像（フレーム画像もあらかじめ画像合成サーバ20のハードディスク28に格納されている。）ごとに感性の評価値がテンプレート評価値テーブルに格納されている。フレーム画像についてもユーザによって指定された仕上がり印象に近い感性の評価値が高いフレーム画像が利用されるように決定される。
【００４４】
図９は，フレーム回転量評価値テーブルの一例である。
【００４５】
上述のようにフレームを回転させることができ，その回転量に応じて感性ごとの評価値が定められている。
【００４６】
図10は，拡大率評価値テーブルの一例である。
【００４７】
上述のように，被写体像（対象画像）を拡大させることができる（縮小させてもよい）。その拡大率に応じて感性ごとの評価値が定められている。
【００４８】
図11は，対象画像評価値テーブルの一例である。
【００４９】
フォトブックに貼り付けられる被写体像（対象画像）は，ユーザによってあらかじめ画像合成サーバ20にアップロードされ，ハードディスク28に格納されている。上述のように被写体像の感性を評価値として表わすことができ，被写体像ごとに感性が評価値化されている。
【００５０】
図12から図16は，フォトブック作成システムの処理手順を示すフローチャートである。
【００５１】
この実施例は，フォトブックの仕上がり印象をユーザが感性言語（かわいい，カジュアル，ロマンティック，クール，シックなど）によって指定し，指定された感性言語の印象となるようにフォトブックが作成されるものである。
【００５２】
クライアント・コンピュータ１が画像合成サーバ20にログインし，クライアント・コンピュータ１と画像合成サーバ20とが接続されると，クライアント・コンピュータ１の表示装置２の表示画面には，図17に示す仕上がり印象指定ウインドウ90が表示される（ステップ41）。
【００５３】
図17を参照して，クライアント・コンピュータ１の表示装置２の表示画面120のほぼ全体にわたって，仕上がり印象指定ウインドウ90（仕上がり印象受付手段）が表示されている。仕上がり印象指定ウインドウ90の中には，複数の閉曲線91から95が表示されている。これらの閉曲線91から95によって仕上がり印象が規定されている。仕上がり印象指定ウインドウ90の下には，「決定」の文字が表示されている決定ボタン123および「次へ」の文字が表示されている次へボタン124が形成されている。
【００５４】
仕上がり印象指定ウインドウ90の中に形成されている閉曲線91，92，93，94および95は，それぞれ，仕上がり印象として，「かわいい」，「ロマンティック」，「カジュアル」，「シック」および「クール」という感性言語を指定するものである。たとえば，ユーザが，フォトブックの仕上がり印象として，「かわいい」を指定しようとする場合には，閉曲線91内の領域（印象指定エリア）がユーザによってマウス９を利用してクリックされる（仕上がりの印象の指定：図12ステップ42）。その後，決定ボタン123および次へボタン124がユーザによってマウス９を利用してクリックされると，クライアント・コンピュータ１から画像合成サーバ20に仕上がりの印象を指定するデータが送信される（図12ステップ43），
【００５５】
閉曲線91から95によって特定される領域が重複している領域101から109は，複数の仕上がり印象を指定できる領域である。たとえば，領域101は，「かわいい」という感性言語によって指定される仕上がり印象を指定する閉曲線91と「カジュアル」という感性言語によって指定される仕上がり印象を指定する閉曲線93とによって囲まれているから，仕上がり印象として「かわいい」かつ「カジュアル」のものを指定できる。同様に，領域102は，「かわいい」という感性言語によって指定される仕上がり印象を指定する閉曲線91と「ロマンティック」という感性言語によって指定される仕上がり印象を指定する閉曲線92とによって囲まれているから，仕上がり印象として「かわいい」かつ「ロマンティック」のものを指定できる。さらに，領域103は，「かわいい」という感性言語によって指定される仕上がり印象を指定する閉曲線91と「ロマンティック」という感性言語によって指定される仕上がり印象を指定する閉曲線92と「カジュアル」という感性言語によって指定される仕上がり印象を指定する閉曲線93とによって囲まれているから，仕上がり印象として「かわいい」仕上がりであり，「カジュアル」な仕上がりであり，かつ「ロマンティック」の仕上がりを指定できる。他の領域104から109についても同様である。
【００５６】
このように，図17に示す仕上がり印象指定ウインドウ90では，一種類のみの感性言語でなく，複数種類の感性言語を指定することができ，複数種類の感性言語によって規定される複数の印象をもつフォトブックが仕上がるように仕上がり印象を指定できる。
【００５７】
図12に戻って，ユーザによって指定された仕上がりの印象を示すデータが画像合成サーバ20において受信されると（ステップ71でＹＥＳ）（仕上がりの印象の指定の受付），受信した仕上がり印象を示すデータによって特定される仕上がり印象の感性の評価値が高い（受け付けられた印象に関連付けられていることとなる）構成要素（テンプレート画像，文字画像，フレーム画像，フォントで特定される文字）および対象画像が決定される（ステップ72）（構成要素決定手段）。対象画像については，特定の人物を含むように，あらかじめ指定されている場合には，その人物が含まれる対象画像が見つけ出され，見つけ出された対象画像の中から対象画像が決定されるのはいうまでもない。もっとも特定の人物が含まれなくともよい場合には，ユーザによって指定された仕上がり印象の感性の評価値が高い対象画像が単に決定される。このようにして１または複数のテンプレート画像が決定されると，決定されたテンプレート画像を表わす画像データが画像合成サーバ20からクライアント・コンピュータ１に送信される（ステップ73）。
【００５８】
テンプレート画像を表わす画像データがクライアント・コンピュータ１において受信されると（ステップ44でＹＥＳ），受信した画像データによって表わされるテンプレート画像がクライアント・コンピュータ１の表示装置２の表示画面120に表示される（ステップ45）。
【００５９】
図18は，テンプレート選択画面の一例である。
【００６０】
クライアント・コンピュータ１の表示画面120には，ほぼ全体に渡ってテンプレート選択ウインドウ121が形成されている。このテンプレート選択ウインドウ121内に，画像合成サーバ20において決定されたテンプレート画像（ユーザによって指定された仕上がり印象に近い感性を与えるテンプレート画像）が表示されている。テンプレート選択ウインドウ121の右端にはスクロール・バー122が形成されている。このスクロール・バー122をユーザが上下することにより，テンプレート選択ウインドウ121に表示されていないテンプレート画像がテンプレート選択ウインドウ121に現れる。図18に示す例では，テンプレート画像Ｔ３，Ｔ６，Ｔ７，Ｔ９，Ｔ12，Ｔ14，Ｔ20およびＴ21が図示されている。これらのテンプレート画像Ｔ３，Ｔ６，Ｔ７，Ｔ９，Ｔ12，Ｔ14，Ｔ20およびＴ21は，ユーザが指定した仕上がり印象の感性に近いものである（例えば，ユーザの仕上がり印象の感性が「かわいい」場合であると，「かわいい」印象を与えるものである）。
【００６１】
ユーザは，テンプレート選択ウインドウ121の中から１または複数の所望のテンプレート画像を選択する（図12ステップ46）。たとえば，所望のテンプレート画像上をユーザがクリックすると選択されたこととなる。クリックされたテンプレート画像上をユーザが再びクリックすると，その選択は取消となる。ユーザによって決定ボタン123がクリックされ，かつ次へボタン124がクリックされると（図12ステップ47でＹＥＳ），選択されたテンプレート画像を識別するデータ（テンプレート画像識別データ）および文字画像リクエスト・コマンドがクライアント・コンピュータ１から画像合成サーバ20に送信される（図12ステップ48）。
【００６２】
画像合成サーバ20において，テンプレート画像識別データおよび文字画像リクエスト・コマンドが受信されると（図12ステップ74でＹＥＳ），上述のように（図12ステップ72）すでに決定している文字画像を表わす画像データが画像合成サーバ20からクライアント・コンピュータ１に送信される（図13ステップ75）。
【００６３】
クライアント・コンピュータ１において，文字画像を表わす画像データが受信されると（図13ステップ49でＹＥＳ），クライアント・コンピュータ１の表示画面120に文字画像が表示される（図13ステップ50）。
【００６４】
図19は，文字選択画面の一例である。
【００６５】
クライアント・コンピュータ１の表示画面120の全体に渡って文字選択ウインドウ131が形成されている。この文字選択ウインドウ131内に，画像合成サーバ20において決定された文字画像（ユーザによって指定された仕上がり印象に近い感性を与える文字画像，フォント画像，フォント）が表示されている。文字選択ウインドウ131の右端にもスクロール・バー132が形成されている。このスクロール・バー132をユーザが上下することにより，文字選択ウインドウ131に表示されていない文字画像が文字選択ウインドウ131に現れる。図19に示す例では，文字画像Ｆ１，Ｆ４，Ｆ10，Ｆ15，Ｆ16，Ｆ17，Ｆ22およびＦ23が図示されている（Ｆ１というように符号で文字画像が図示されているが，文字のサンプルが文字画像として表示されているのはいうまでもない。）。これらの文字画像Ｆ１，Ｆ４，Ｆ10，Ｆ15，Ｆ16，Ｆ17，Ｆ22およびＦ23も，ユーザが指定した仕上がり印象の感性に近いものである。
【００６６】
ユーザは，文字選択ウインドウ131の中から１または複数の所望の文字画像を選択する（図13ステップ51）。たとえば，所望の文字画像上をユーザがクリックすると選択されたこととなる。クリックされた文字画像上をユーザが再びクリックすると，その選択は取消となる。ユーザによって決定ボタン123がクリックされ，かつ次へボタン124がクリックされると（図13ステップ52でＹＥＳ），選択された文字画像を識別するデータ（文字画像識別データ）およびフレームリクエスト・コマンドがクライアント・コンピュータ１から画像合成サーバ20に送信される（図13ステップ53）。
【００６７】
画像合成サーバ20において，文字画像識別データおよびフレームリクエスト・コマンドが受信されると（図13ステップ76でＹＥＳ），すでに決定しているフレーム画像を表わす画像データが画像合成サーバ20からクライアント・コンピュータ１に送信される（図14ステップ77）。
【００６８】
クライアント・コンピュータ１において，フレーム画像を表わす画像データが受信されると（図14ステップ54でＹＥＳ），クライアント・コンピュータ１の表示画面120にフレーム画像が表示される（図14ステップ55）。
【００６９】
図20は，フレーム選択画面の一例である。
【００７０】
クライアント・コンピュータ１の表示画面120の全体に渡ってフレーム選択ウインドウ141が形成されている。このフレーム選択ウインドウ141内に，画像合成サーバ20において決定されたフレーム画像（ユーザによって指定された仕上がり印象に近い感性を与えるフレーム画像）が表示されている。フレーム選択ウインドウ141の右端にもスクロール・バー142が形成されている。このスクロール・バー142をユーザが上下することにより，フレーム選択ウインドウ141に表示されていないフレーム画像がフレーム選択ウインドウ141に現れる。図20に示す例では，フレーム画像ＦＲ２，ＦＲ３，ＦＲ７，ＦＲ９，ＦＲ12，ＦＲ13，ＦＲ18およびＦＲ20が図示されている（ＦＲ２というように符号でフレーム画像が図示されているが，フレームのサンプルがフレーム画像として表示されている）。これらのフレーム画像ＦＲ２，ＦＲ３，ＦＲ７，ＦＲ９，ＦＲ12，ＦＲ13，ＦＲ18およびＦＲ20もユーザが指定した仕上がり印象の感性に近いものである。
【００７１】
ユーザは，フレーム選択ウインドウ141の中から１または複数の所望のフレームクライアント画像を，上述したのと同様にして選択する（図14ステップ56）。ユーザによって決定ボタン123がクリックされ，かつ次へボタン124がクリックされると（図14ステップ57でＹＥＳ），ユーザによって選択されたフレーム画像を識別するデータ（フレーム識別データ）および対象画像リクエスト・コマンドがクライアント・コンピュータ１から画像合成サーバ20に送信される（図14ステップ58）。
【００７２】
画像合成サーバ20において，フレーム画像識別データおよび対象画像リクエスト・コマンドが受信されると（図14ステップ78でＹＥＳ），すでに決定している対象画像を表わす画像データが画像合成サーバ20からクライアント・コンピュータ１に送信される（図15ステップ79）。
【００７３】
クライアント・コンピュータ１において，対象画像を表わす画像データが受信されると（図15ステップ59でＹＥＳ）。クライアント・コンピュータ１の表示画面に対象画像が表示される（図15ステップ60）。
【００７４】
図21は，対象画像選択画面の一例である。
【００７５】
クライアント・コンピュータ１の表示画面120の全体に渡って対象画像選択ウインドウ151が形成されている。この対象画像選択ウインドウ151内に，画像合成サーバ20において決定された対象画像（ユーザによって指定された仕上がり印象に高い感性を与える対象画像）が表示されている。対象画像選択ウインドウ151の右端にもスクロール・バー152が形成されている。上述したのと同様に，スクロール・バー152をユーザが上下することにより，対象画像選択ウインドウ151に表示されていない対象画像が対象画像選択ウインドウ151に現れる。図21に示す例では，対象画像Ｉ１，Ｉ５，Ｉ６，Ｉ８，Ｉ10，Ｉ12，Ｉ19およびＩ21が図示されている（ＩＲ１というように符号で対象画像が図示されているが，実際の対象画像が表示されているのはいうまでもない）。これらの対象画像Ｉ１，Ｉ５，Ｉ６，Ｉ８，Ｉ10，Ｉ12，Ｉ19およびＩ21もユーザが指定した仕上がり印象の感性に近いものである。
【００７６】
ユーザは，対象画像選択ウインドウ151の中から１または複数の所望の対象画像を，上述したのと同様にして選択する（図15ステップ61）。ユーザによって決定ボタン123がクリックされ，かつ次へボタン124がクリックされると（図15ステップ62でＹＥＳ），ユーザによって選択された対象画像を識別するデータ（対象画像識別データ）および仕上がりサンプル画像リクエスト・コマンドがクライアント・コンピュータ１から画像合成サーバ20に送信される（図15ステップ63）。
【００７７】
画像合成サーバ20において，対象画像識別データおよび仕上がりサンプル画像リクエスト・コマンドが受信されると（図15ステップ80でＹＥＳ），ユーザによって選択されたテンプレート画像に合うように，選択された対象画像が補正される（図15ステップ81）。たとえば，選択されたテンプレート画像の色味，彩度，明度に近くなるような補正パラメータを用いて，選択された対象画像が補正される。選択されたテンプレート画像は，ユーザによって指定された仕上がり印象の感性に近いものであるから，そのテンプレート画像に合うように，選択された対象画像が補正されることにより，対象画像は指定された仕上がり印象に近づくように補正されることとなる（対象画像補正手段）。テンプレート画像の全体の色味，彩度または明度と，対象画像の全体の色味，彩度，または明度と，が近くなるように補正してもよいし，テンプレート画像の代表的な画像部分（たとえば，周囲の画像部分）の色味，彩度，または明度と，対象画像の代表的な画像部分（たとえば，主要被写体の画像部分）の色味，彩度，または明度と，が近くなるように補正してもよい。色ヒストグラムが近くなるように補正してもよい。
【００７８】
対象画像が補正されると，選択されたテンプレート画像，文字画像，フレーム画像，補正された対象画像を用いて，フォトブックのサンプル画像（仕上がりサンプル画像，合成画像）が１または複数種類生成される（図15ステップ82）（合成画像生成手段）。たとえば，図４に示したようなフォトブックを構成するページ画像Ｐ１が生成されることとなる。たとえば，ユーザによって選択されたテンプレート画像等を用いて，画像合成サーバ20において自動的にレイアウトが行われて，複数の仕上がりサンプル画像が生成される。
【００７９】
すると，生成された複数の仕上がりサンプル画像についての評価値の総和が画像合成サーバ20おいて算出される（図15ステップ83）。
【００８０】
図22は，仕上がりサンプル画像の評価値（ユーザが指定した仕上がり印象の感性での評価値）の一例を示す評価値テーブルの一例である。
【００８１】
この例による仕上がりサンプル画像は，テンプレート画像Ｔａ，文字画像Ｆｂ，フレーム画像ＦＲｃ，対象画像Ｉｄ，Ｉｅ，Ｉｆ，Ｉｇから生成されたものとする。ユーザが指定した仕上がり印象の感性（たとえば，「かわいい」）に対応する評価値は，それぞれ，テンプレート画像がａ，文字画像がｂ，フレーム画像がｃ，対象画像Ｉｄ，Ｉｅ，ＩｆおよびＩｇが，ｄ，ｅ，ｆ，ｇである。したがって，この例による仕上がりサンプル画像の評価値の総和は，Σｐ＝ａ＋ｂ＋ｃ＋ｄ＋ｅ＋ｆ＋ｇとなる。
【００８２】
評価値の総和が算出されると，評価値の総和が，感性ごとにあらかじめ定められたしきい値以上になっているかどうかが判定される（図16ステップ84）。（仕上がりサンプル画像の印象が，ユーザによって指定された印象に合致するかどうかの判定。印象判定手段。また，対象画像と構成要素の少なくとも１つとの一致度が低いかどうかを判定し，低い場合にユーザによって指定された印象に合致すると判定するものでもよい。）評価値の総和が，対応する感性のしきい値以上でなければ（非合致，または合致していないと判定されると）（図16ステップ84でＮＯ），前回の補正のパラメータを変更して，仕上がりサンプル画像に含まれる対象画像（この場合，対象画像Ｉｄ，Ｉｅ，Ｉｆ，Ｉｅ）について補正が行われる（図16ステップ85）［指定された印象から遠いと判定されたことに応じて生成された仕上がりサンプル画像（合成画像）がユーザによって指定された印象となるように補正されることとなる。合成画像補正手段］。もっとも，テンプレート画像，文字画像の形状（フォント），対象画像を変更することにより，ユーザによって指定された印象となるように補正してもよい。また，図15ステップ81において補正された対象画像について補正するのではなく，図15ステップ81における補正前の対象画像について補正するようにしてもよい。補正がｎ回行われていなければ（図16ステップ86でＮＯ），再び評価値の総和が算出され，算出された総和がしきい値以上かどうかが判断される（図16ステップ84）（繰り返し制御手段）。補正がすでにｎ回行われていれば（図16ステップ86でＹＥＳ），評価値の総和の再算出処理は，それ以上は行われない。評価値の総和が，対応する感性のしきい値以上となっていれば（図16ステップ84でＹＥＳ），ステップ85および86の処理はスキップされる。
【００８３】
補正された対象画像が貼り付けられた仕上がりサンプル画像が新たに生成される。生成された仕上がりサンプル画像を表わす画像データが画像合成サーバ20からクライアント・コンピュータ１に送信される（図16ステップ87）。
【００８４】
クライアント・コンピュータ１において，仕上がりサンプル画像を表わす画像データが受信されると（図16ステップ64），受信した画像データによって表わされる仕上がりサンプル画像が表示装置１の表示画面120に表示される（図16ステップ65）。
【００８５】
図23は，仕上がりサンプル選択画面の一例である。
【００８６】
クライアント・コンピュータ１の表示画面120の全体に渡って仕上がりサンプル画像選択ウインドウ161が形成されている。仕上がりサンプル画像選択ウインドウ161の右下には「プリント」の文字が表示されているプリント・ボタン124が形成されている。仕上がりサンプル画像選択ウインドウ161内に，画像合成サーバ20において生成された仕上がりサンプル画像（評価値の総和が，ユーザによって指定した感性に対応して定められているしきい値以上となっている仕上がりサンプル画像）が表示されている。仕上がりサンプル画像選択ウインドウ161の右端にもスクロール・バー162が形成されている。このスクロール・バー162をユーザが上下することにより，仕上がりサンプル画像選択ウインドウ161に表示されていない仕上がりサンプル画像が上がりサンプル画像選択ウインドウ161に現れる。図23に示す例では，仕上がりサンプル画像171から178が仕上がりサンプル画像選択ウインドウ161に図示されている。これらの仕上がりサンプル画像171から178は，図16ステップ85のように補正が行われているからユーザが指定した仕上がり印象の感性に近いものとなっている。
【００８７】
ユーザは，仕上がりサンプル画像選択ウインドウ161の中から１または複数の所望の仕上がりサンプル画像を，上述したのと同様にして選択する（図16ステップ66）。ユーザによって決定ボタン122が押され，プリント・ボタン124がクリックされると（図16ステップ67でＹＥＳ），選択された仕上がりサンプル画像を識別するデータ（仕上がりサンプル画像識別データ）およびプリント・コマンドがクライアント・コンピュータ１から画像合成サーバ20に送信される（図16ステップ68）。
【００８８】
画像合成サーバ20において，仕上がりサンプル画像識別データおよびプリント・コマンドが受信されると（図16ステップ88でＹＥＳ），選択された仕上がりサンプル画像が最終的に生成されるフォトブックを構成するページ画像としてプリンタ29によってプリントされる（図16ステップ89）。
【００８９】
図24および図25は，変形例を示している。
【００９０】
図24は，フォトブック作成システムの処理手順の一部を示すフローチャートである。この処理手順は，ユーザによって選択された仕上がりサンプル画像のレイアウトを変更するものである。
【００９１】
図23に示したように表示されている仕上がりサンプル画像の中から所望の仕上がりサンプル画像が選択されると（ステップ66），その選択された仕上がりサンプル画像がプリント用ページ画像として，クライアント・コンピュータ１の表示画面120に表示される（ステップ181）。
【００９２】
図25は，プリント用ページ画像が表示画面120に表示されている様子を示している。
【００９３】
表示画面120には，プリント用ページ画像表示用ウインドウ126が形成されている。このウインドウ126内に，ユーザによって選択された仕上がりサンプル画像が，プリント用ページ画像Ｐ１として表示されている。このプリント用ページ画像Ｐ１は，図４に示したページ画像Ｐ１と同じものである（他のページ画像であってもよいのはいうまでもない）。プリント用ページ画像表示用ウインドウ126の下には，決定ボタン122およびプリント・ボタン123のほかに「変更」の文字が付されている変更ボタン125および「拡大」の文字が付されている拡大ボタン129が形成されている。プリント用ページ画像表示用ウインドウ126の右側には，フレームウインドウ127が表示されている。フレームウインドウ127内には複数のフレーム画像が表示されている。フレームウインドウ127の右端には，スクロール・バー128が形成されている。スクロール・バー128が上下に動かされることにより，フレームウインドウ127に表示されていないフレームがウインドウ127に現れる。
【００９４】
ユーザによって変更ボタン125がクリックされると，ウインドウ126に表示されているページ画像Ｐ１のフレーム画像ＦＲ１等自体の変更，配置の変更（フレームの回転による変更も含む），フレームに表示されている対象画像の拡大（縮小）が可能となる。
【００９５】
フレーム自体を変更する場合には，たとえば，その変更したいフレームがプリント用ページ表示用ウインドウ126からフレームウインドウ127にドラッグさせられる。すると，ドラッグさせられたフレームは，取り除かれる（フレーム内に含まれていた対象画像は，そのままテンプレート画像Ｔ１上に残る）。フレーム127の中から所望のフレーム画像が選択され，その選択されたフレーム画像が，取り除かれたフレームがあった位置にドラッグさせられる。フレーム自体が変更されることとなる。
【００９６】
フレームの位置を変更する場合には，ユーザは，所望のフレームを，マウス９を用いて選択し，所望の位置にドラッグする。フレームを回転する場合には，ユーザは，所望のフレームを，マウス９を用いて回転する。対象画像を拡大する場合には，ユーザは，所望の対象画像を，マウス９を用いて選択し，その後，拡大ボタン129をクリックする。
【００９７】
図24に戻って，変更ボタン125がクリックされ（ステップ182でＹＥＳ），レイアウト変更処理が行われる（ステップ183）。上述のようにして変更させられたレイアウト情報はクライアント・コンピュータ１のメモリ４に一時的に記憶されているのはいうまでもない。プリント・ボタン123がクリックされると，プリント用ページ画像として選択されている仕上がりサンプル画像を識別するデータ，プリント・コマンドのほかにレイアウト情報がクライアント・コンピュータ１から画像合成サーバ20に送信される（ステップ68Ａ）。
【００９８】
画像合成サーバ20において，仕上がりサンプル画像識別データおよびプリント・コマンドを受信したが（ステップ88でＹＥＳ），レイアウト情報が受信されなければ（ステップ90でＮＯ），レイアウト変更は行われていないので，仕上がりサンプル画像識別データによって特定される仕上がりサンプル画像がフォトブックを構成するページ画像としてプリントされる（ステップ89）。
【００９９】
画像合成サーバ20において，仕上がりサンプル画像識別データ，プリント・コマンドおよびレイアウト情報が受信されると（ステップ88および90でＹＥＳ），レイアウト変更後の仕上がりサンプル画像（この場合，フォトブックを構成するページ画像）の評価値の総和が図22に示すように算出される。但し，レイアウトが変更されている場合において，フレーム自体が変更されているときには図８に示すフレーム評価値テーブルを参照して新たな評価値が用いられ，フレームが回転されているときには図９に示すフレーム回転量評価値テーブルを参照して新たな評価値が用いられ，対象画像が拡大されているときには図10に示す拡大率評価値テーブルを用いて新たな評価値が用いられることにより，評価値の総和が算出される。算出された評価値の総和がしきい値以上でなければ（図16ステップ85），補正が行われる（図16ステップ85）。
【０１００】
また，図16ステップ84の処理において，評価値の総和がしきい値未満かどうか（ユーザによって指定された印象から遠いかどうか）が判定されているが，対象画像またはテンプレート画像，フレーム，文字画像，文字などの構成要素の少なくとも一つの画像の評価値がしきい値未満かどうか（ユーザによって指定された印象から遠いかどうか）が判定されるようにしてもよい。その場合，対象画像またはテンプレート画像，フレーム，文字画像などの構成要素の少なくとも一つの画像の色成分にもとづいて評価値がしきい値未満がどうかが判定されてもよい。たとえば，ユーザによって指定された印象に合致すると思われる色に近い色を持つ対象画像，構成要素についての評価値を高くし，図16ステップ84の処理が行われる。
【０１０１】
また，図16ステップ85の処理において，前回の補正パラメータを変更して対象画像について補正が行われているが対象画像について補正を行うのではなく，対象画像以外のフレーム画像，文字画像などの構成要素または仕上がりサンプル画像全体を補正して，ユーザが指定した印象となるようにしてもよい。
【０１０２】
さらに，上述の実施例においては，ユーザによって仕上がり印象を感性言語を用いて指定されているが（図12ステップ42），ユーザにテンプレート画像選択させることにより，仕上がり印象を指定させるようにしてもよい。この場合には，最初に，図17に示す印象指定ウインドウを表示するのではなく，図18に示すようなテンプレート画像を一覧で表示し，その表示されているテンプレート画像の中から所望のテンプレート画像が選択される。選択されたテンプレート画像に付加されている評価値にもとづいて，ユーザの所望の仕上がり印象が決定されることとなる。
【０１０３】
上述の実施例においては，クライアント・コンピュータ１と画像合成装置20とが通信されてフォトブックが作成されているが，画像合成装置20の処理をクライアント・コンピュータ１ですべて行うようにしてもよい。また，上述の実施例においては，クライアント・コンピュータ１においてユーザが仕上がり印象を指定し，その指定された仕上がり印象を示すデータが画像合成サーバ20の通信装置26において受信することにより，ユーザの仕上がり印象の指定を受け付けていることとなるが，画像合成装置20における処理をクライアント・コンピュータ１において行わせる場合には，上述したようにマウス９による仕上がり印象の指定をＣＰＵ７が受け付けることとなる。
【符号の説明】
【０１０４】
１  クライアント・コンピュータ
３  表示制御装置（表示制御手段）
９  マウス（レイアウト変更手段）
７  ＣＰＵ（仕上がり印象受付手段，レイアウト変更手段）
20  画像合成サーバ
21  ＣＰＵ（構成要素決定手段，対象画像補正手段，合成画像生成手段，印象判定手段，合成画像補正手段，繰り返し制御手段）
29  プリンタ
【図１】
2015162850.tif 000003
【図２】
2015162850.tif 000004
【図３】
2015162850.tif 000005
【図４】
2015162850.tif 000006
【図５】
2015162850.tif 000007
【図６】
2015162850.tif 000008
【図７】
2015162850.tif 000009
【図８】
2015162850.tif 000010
【図９】
2015162850.tif 000011
【図１０】
2015162850.tif 000012
【図１１】
2015162850.tif 000013
【図１２】
2015162850.tif 000014
【図１３】
2015162850.tif 000015
【図１４】
2015162850.tif 000016
【図１５】
2015162850.tif 000017
【図１６】
2015162850.tif 000018
【図１７】
2015162850.tif 000019
【図１８】
2015162850.tif 000020
【図１９】
2015162850.tif 000021
【図２０】
2015162850.tif 000022
【図２１】
2015162850.tif 000023
【図２２】
2015162850.tif 000024
【図２３】
2015162850.tif 000025
【図２４】
2015162850.tif 000026
【図２５】
2015162850.tif 000027